(57)【要約】      （修正有）【課題】クリック感の設定自由度が高い湯水混合栓を提供する。【解決手段】湯水混合栓は、可動弁体、固定弁体、レバー、回動体及びクリック部材Ａ（クリック部材５２）を備えている。クリック部材Ａは、可動弁体と回動体との間に設けられている。可動弁体は、クリック係合部Ａ（クリック係合部１４２）を有している。クリック部材Ａとクリック係合部Ａとの間の前後クリック係合が生じる。前後クリック感は、次の態様（ｘ１）又は（ｘ２）である。（ｘ１）前後クリック感が、レバーの左右回動における一部の角度範囲で発現し、他の角度範囲では発現しない。（ｘ２）レバーの左右回動において、一部の角度範囲での前後クリック感が、他の角度範囲での前後クリック感よりも大きい。【選択図】図２０
2014185470.tif 000002
【特許請求の範囲】
【請求項１】
混合栓本体と、
上記混合栓本体の内部に設けられているハウジングと、
湯用弁孔、水用弁孔及び吐出弁孔を有する固定弁体と、
上記固定弁体の上面に摺動可能に配置されており、流路形成凹部及びレバー係合穴を有する可動弁体と、
左右回動及び前後回動が可能なレバーと、
上記前後回動が可能なようにレバーを支持するとともに上記レバーの左右回動に連動して回転する回動体と、
上記可動弁体と上記回動体との間に設けられているクリック部材Ａと、
を備えており、
上記レバーの左右回動に起因して、上記可動弁体が上記固定弁体に対して左右回動し、この可動弁体の左右回動により、湯水混合比率の調節が可能とされており、
上記レバーの前後回動により、上記可動弁体が上記固定弁体に対して移動し、この移動により、吐出量の調節が可能とされており、
上記可動弁体が、クリック係合部Ａを有しており、
上記レバーの前後回動の少なくとも一部の領域において、上記クリック部材Ａと上記クリック係合部Ａとの間の前後クリック係合が生じ、
上記前後クリック係合に起因する前後クリック感が、次の態様（ｘ１）又は（ｘ２）である湯水混合栓。
（ｘ１）上記前後クリック感が、上記レバーの左右回動における一部の角度範囲で発現し、他の角度範囲では発現しない。
（ｘ２）上記レバーの左右回動において、一部の角度範囲での上記前後クリック感が、他の角度範囲での上記前後クリック感よりも大きい。
【請求項２】
上記可動弁体に対する上記クリック部材Ａの相対移動が可能とされており、
この相対移動により、上記前後クリック係合の度合が変化しうるように構成されており、
この相対移動が、上記ハウジングの内面と上記クリック部材Ａとの当接に起因している請求項１に記載の湯水混合栓。
【請求項３】
上記レバーの左右回動範囲において、上記一部の角度範囲が、上記他の角度範囲に対して湯側に位置している請求項１又は２に記載の湯水混合栓。
【請求項４】
上記クリック部材Ａが、本体Ａと、出退移動しうる当接部材Ａと、この当接部材Ａを上記クリック係合部Ａ側に付勢する弾性部材Ａとを有しており、
上記弾性部材Ａが上記当接部材Ａを上記クリック係合部Ａに押し当てることにより、上記前後クリック係合が達成されている請求項１から３のいずれかに記載の湯水混合栓。
【請求項５】
上記クリック部材Ａが、上記ハウジングの内面に摺動可能に当接しうるクリック部材当接面Ａを有しており、
上記ハウジングの内面が、上記クリック部材当接面Ａに摺動可能に当接しうるハウジング当接面を有しており、
上記ハウジング当接面が、第一ハウジング当接面と第二ハウジング当接面とを有しており、
上記レバーの左右回動により、第一状態と第二状態との相互移行が可能とされており、
上記第一状態では、上記クリック部材当接面Ａが上記第一ハウジング当接面に当接しており、
上記第二状態では、上記クリック部材当接面Ａが上記第二ハウジング当接面に当接しており、
次の態様（ｙ１）又は（ｙ２）が可能とされている請求項１から４のいずれかに記載の湯水混合栓。
（ｙ１）上記第一状態では上記前後クリック感が発現し、上記第二状態では上記前後クリック感が発現しない。
（ｙ２）上記第一状態における上記前後クリック感が、上記第二状態における上記前後クリック感よりも大きい。
【請求項６】
上記可動弁体に対する上記クリック部材Ａの相対移動が可能とされており、
上記クリック部材当接面Ａが、第一当接面と第二当接面とを有しており、
上記第一当接面が、上記相対移動方向における一方側に位置しており、
上記第二当接面が、上記相対移動方向における他方側に位置している請求項５に記載の湯水混合栓。
【請求項７】
上記回動体と共に左右回動するクリック部材Ｂを更に備えており、
上記クリック部材Ｂが、出退可能とされており、
上記ハウジングの内面に、クリック係合部Ｂが設けられており、
上記クリック部材Ｂと上記クリック係合部Ｂとの係合により、左右クリック感が生ずる請求項１から６のいずれかに記載の湯水混合栓。
【請求項８】
請求項１から７のいずれかに記載の湯水混合栓を備えた水栓装置。
【発明の詳細な説明】
【技術分野】
【０００１】
本発明は、湯水混合栓に関する。
【背景技術】
【０００２】
ハンドル操作により吐出量及び湯水の混合割合を調整できる水栓が知られている。シングルレバー式の湯水混合栓では、レバーハンドルの左右操作（旋回操作）により湯と水との切り替え及び混合比の調整が可能であり、レバーハンドルの前後操作（上下操作）により吐出量の調整が可能である。
【０００３】
特開２００４−０１９７１４号公報の記載の水栓では、操作レバーの上下回動操作の際に所定位置でクリック感を発生するクリック機構が設けられている。このクリック機構は、回転ガイドと可動弁体の駆動部との間に設けられている。
【先行技術文献】
【特許文献】
【０００４】
【特許文献１】特開２００４−１９７１４号公報
【発明の概要】
【発明が解決しようとする課題】
【０００５】
この特開２００４−１９７１４号公報では、レバーの左右位置に係わらず、前後クリック感が生じる。
【０００６】
クリック感により、様々な情報が得られうる。この情報は、水栓の利便性を高める。水栓の利便性の観点から、クリック感の設定自由度は高いのが好ましい。
【０００７】
本発明の目的は、クリック感の設定自由度が高い湯水混合栓を提供することにある。
【課題を解決するための手段】
【０００８】
本発明に係る好ましい湯水混合栓は、混合栓本体と、上記混合栓本体の内部に設けられているハウジングと、湯用弁孔、水用弁孔及び吐出弁孔を有する固定弁体と、上記固定弁体の上面に摺動可能に配置されており、流路形成凹部及びレバー係合穴を有する可動弁体と、左右回動及び前後回動が可能なレバーと、上記前後回動が可能なようにレバーを支持するとともに上記レバーの左右回動に連動して回転する回動体と、上記可動弁体と上記回動体との間に設けられているクリック部材Ａと、を備えている。上記レバーの左右回動に起因して、上記可動弁体が上記固定弁体に対して左右回動し、この可動弁体の左右回動により、湯水混合比率の調節が可能とされている。上記レバーの前後回動により、上記可動弁体が上記固定弁体に対して移動し、この移動により、吐出量の調節が可能とされている。上記可動弁体は、クリック係合部Ａを有している。上記レバーの前後回動の少なくとも一部の領域において、上記クリック部材Ａと上記クリック係合部Ａとの間の前後クリック係合が生じる。上記前後クリック係合に起因する前後クリック感が、次の態様（ｘ１）又は（ｘ２）である。
（ｘ１）上記前後クリック感が、上記レバーの左右回動における一部の角度範囲で発現し、他の角度範囲では発現しない。
（ｘ２）上記レバーの左右回動において、一部の角度範囲での上記前後クリック感が、他の角度範囲での上記前後クリック感よりも大きい。
【０００９】
好ましくは、上記可動弁体に対する上記クリック部材Ａの相対移動が可能とされている。好ましくは、この相対移動により、上記前後クリック係合の度合が変化しうるように構成されている。好ましくは、この相対移動は、上記ハウジングの内面と上記クリック部材Ａとの当接に起因している。
【００１０】
好ましくは、上記レバーの左右回動範囲において、上記一部の角度範囲が、上記他の角度範囲に対して湯側に位置している。
【００１１】
好ましくは、上記クリック部材Ａが、本体Ａと、出退移動しうる当接部材Ａと、この当接部材Ａを上記クリック係合部Ａ側に付勢する弾性部材Ａとを有している。好ましくは、上記弾性部材Ａが上記当接部材Ａを上記クリック係合部Ａに押し当てることにより、上記前後クリック係合が達成されている。
【００１２】
好ましくは、上記クリック部材Ａは、上記ハウジングの内面に摺動可能に当接しうるクリック部材当接面Ａを有している。好ましくは、上記ハウジングの内面が、上記クリック部材当接面Ａに摺動可能に当接しうるハウジング当接面を有している。好ましくは、上記ハウジング当接面が、第一ハウジング当接面と第二ハウジング当接面とを有している。好ましくは、上記レバーの左右回動により、第一状態と第二状態との相互移行が可能とされている。上記第一状態では、上記クリック部材当接面Ａが上記第一ハウジング当接面に当接している。上記第二状態では、上記クリック部材当接面Ａが上記第二ハウジング当接面に当接している。好ましくは、次の態様（ｙ１）又は（ｙ２）が可能とされている。
（ｙ１）上記第一状態では上記前後クリック感が発現し、上記第二状態では上記前後クリック感が発現しない。
（ｙ２）上記第一状態における上記前後クリック感が、上記第二状態における上記前後クリック感よりも大きい。
【００１３】
好ましくは、上記可動弁体に対する上記クリック部材Ａの相対移動が可能とされている。好ましくは、上記クリック部材当接面Ａが、第一当接面と第二当接面とを有している。好ましくは、上記第一当接面が、上記相対移動方向における一方側に位置している。好ましくは、上記第二当接面が、上記相対移動方向における他方側に位置している。
【００１４】
好ましくは、湯水混合栓は、上記回動体と共に左右回動するクリック部材Ｂを更に備えている。好ましくは、上記クリック部材Ｂは、出退可能とされている。好ましくは、上記ハウジングの内面に、クリック係合部Ｂが設けられている。好ましくは、 上記クリック部材Ｂと上記クリック係合部Ｂとの係合により、左右クリック感が生ずる。
【００１５】
本発明に係る水栓装置は、上述のいずれかの湯水混合栓を備えている。
【発明の効果】
【００１６】
クリック感の設定自由度が向上しうる。
【図面の簡単な説明】
【００１７】
【図１】図１は、本発明の一実施形態に係る湯水混合栓の斜視図である。
【図２】図２は、図１の湯水混合栓の一部が示された正面図である。
【図３】図３は、図１の湯水混合栓の一部が示された側面図である。
【図４】図４（ａ）は、バルブ組立体の平面図である。図４（ｂ）は、バルブ組立体の側面図である。図４（ａ）及び図４（ｂ）では、レバー４６は正面位置及び止水位置にある。
【図５】図５（ａ）は、バルブ組立体の平面図である。図５（ｂ）は、バルブ組立体の側面図である。図５（ａ）及び図５（ｂ）では、レバーは正面位置及び最大吐出位置にある。
【図６】図６は、バルブ組立体の分解斜視図である。
【図７】図７（ａ）は回動体を斜め上側から見た斜視図であり、図７（ｂ）は回動体を斜め下側から見た斜視図である。
【図８】図８（ａ）は固定弁体の斜視図であり、図８（ｂ）は固定弁体の平面図であり、図８（ｃ）は固定弁体の底面図である。
【図９】図９（ａ）は可動弁体の下側部材の斜視図であり、図９（ｂ）は下側部材の平面図であり、図９（ｃ）は下側部材の底面図である。
【図１０】図１０は、可動弁体の上側部材の平面図である。
【図１１】図１１は、上側部材の斜視図である。
【図１２】図１２（ａ）は上側部材を斜め下側から見た斜視図であり、図１２（ｂ）は上側部材の底面図であり、図１２（ｃ）は上側部材の側面図である。
【図１３】図１３（ａ）は図１０のａ−ａ線に沿った断面図であり、図１３（ｂ）は図１０のｂ−ｂ線に沿った断面図である。
【図１４】図１４（ａ）はレバーの側面図であり、図１４（ｂ）はレバーの正面図であり、図１４（ｃ）は図１４（ｂ）のｃ−ｃ線に沿った断面図である。
【図１５】図１５は、バルブ組立体の側面図である。図１５において、レバーは止水位置にある。
【図１６】図１６は、図１５のＡ−Ａ線に沿った断面図である。
【図１７】図１７（ａ）は図１５のＢ−Ｂ線に沿った断面図である。図１７（ａ）は止水状態における断面図である。図１７（ｂ）は図１７（ａ）と同じ位置における断面図であり、最大吐水状態を示す。
【図１８】図１８は、レバー係合穴の平面図である。
【図１９】図１９（ａ）及び図１９（ｂ）は、クリック部材Ａの本体の斜視図である。図１９（ａ）は斜め上方から見た斜視図であり、図１９（ｂ）は斜め下方から見た斜視図である。
【図２０】図２０は、組立状態におけるクリック部材Ａ及び可動弁体（上側部材）を示す斜視図である。
【図２１】図２１は、当接部材Ａの斜視図である。
【図２２】図２２は、第二状態における回動体の断面図である。
【図２３】図２３は、第一状態における回動体の断面図である。
【図２４】図２４は、レバー左右位置とバルブの状態との関係を示す平面図及び断面図である。
【図２５】図２５は、ハンドル（レバー）の左右回動について説明するための平面図である。
【図２６】図２６は、第二実施形態に係るバルブ組立体の断面図である。
【図２７】図２７は、第三実施形態に係るバルブ組立体の断面図である。
【発明を実施するための形態】
【００１８】
以下、適宜図面が参照されつつ、好ましい実施形態に基づいて本発明が詳細に説明される。
【００１９】
図１は、本発明の一実施形態に係る湯水混合栓１０の斜視図である。図２は、湯水混合栓１０の上部の正面図である。図３は、湯水混合栓１０の上部の側面図である。湯水混合栓１０は、本体１２、ハンドル１４、吐出部１６、湯導入管１８、水導入管２０及び吐出管２２を有する。吐出部１６は、ヘッド２４を有する。ヘッド２４では、シャワー吐出と通常吐出との切り替えが可能である。湯水混合栓１０は、例えば、流し台、洗面台等に取り付けられ、水栓装置として使用される。湯水混合栓１０を含む水栓装置は、流し台等に湯水混合栓１０を固定するための固定部２３と、湯供給管に接続される接続部２５と、水供給管に接続される接続部２７とを有している。
【００２０】
ハンドル１４の上下回動（前後回動）により、吐出量が調節される（図３の矢印Ｍ参照）。本実施形態では、ハンドル１４を上側に動かすほど、吐出量が増加する。逆に、ハンドル１４を下側に動かすほど吐出量が増加してもよい。また、ハンドル１４の左右回動（旋回）により、湯と水との混合割合が変化する。ハンドル１４の左右回動により、吐水温度の調節が可能である。
【００２１】
湯水混合栓１０は、その内部に、バルブ組立体４０（後述）を有する。バルブ組立体４０は、外カバー１３の内部に配置されている。ハンドル１４は、ネジ（図示されず）によって、レバー４６（後述）に固定されている。なお、バルブ組立体４０は、単独で取り扱い可能である。湯水混合栓１０において、バルブ組立体４０は交換可能である。
【００２２】
図４（ａ）はバルブ組立体４０の平面図であり、図４（ｂ）はバルブ組立体４０の側面図である。図４（ａ）及び図４（ｂ）では、バルブ組立体４０は止水状態にある。図５（ａ）はバルブ組立体４０の平面図であり、図５（ｂ）はバルブ組立体４０の側面図である。図５（ａ）及び図５（ｂ）では、バルブ組立体４０は吐出状態にある。
【００２３】
このバルブ組立体４０は、湯水混合栓１０の内部に配置されている。バルブ組立体４０は、外カバー１３の内部に配置されている。バルブ組立体４０は、単独で取り扱い可能である。湯水混合栓１０において、バルブ組立体４０は交換可能である。
【００２４】
図６は、バルブ組立体４０の分解斜視図である。バルブ組立体４０は、ハウジング４２、回動体４４、レバー４６及びレバー軸４８を有する。
【００２５】
更に、バルブ組立体４０は、左右クリック用のクリック部材５０、及び、前後クリック用のクリック部材５２を有する。クリック部材５２は、本体５４、弾性部材５６及び当接部材５８を有する。本体５４は、クリック部材当接面ａ１を有する。
【００２６】
更に、バルブ組立体４０は、可動弁体６０、固定弁体６２、パッキン６４、Ｏリング６６、Ｏリング６７及びベース体６８を有する。
【００２７】
レバー４６には、ネジ（図示されない）によって、前述のハンドル１４が固定されている。レバー４６は、ハンドル１４と一体で動く。
【００２８】
ベース体６８は、湯導入口７０、水導入口７２及び吐出口７４を有する。ベース体６８の下部には、これら湯導入口７０、水導入口７２及び吐出口７４のそれぞれに対応した開口が設けられている。これらの開口のそれぞれに、湯導入管１８、水導入管２０及び吐出管２２が接続されている。
【００２９】
固定弁体６２は、ベース体６８の上側に固定される。ベース体６８には、固定弁体６２を固定するための係合凸部７６と、ハウジング４２を固定するための係合凸部７７とが設けられている。固定弁体６２には、係合凸部７６と係合する係合凹部７８が設けられている。
【００３０】
固定弁体６２は、湯用弁孔８０、水用弁孔８２及び混合水用弁孔８４を有する。湯用弁孔８０は、ベース体６８の湯導入口７０に接続されている。パッキン６４により、この接続の水密状態が保持されている。水用弁孔８２は、ベース体６８の水導入口７２に接続されている。パッキン６４により、この接続の水密状態が保持されている。混合水用弁孔８４は、ベース体６８の吐出口７４に接続されている。パッキン６４により、この接続の水密状態が保持されている。
【００３１】
可動弁体６０は、上側部材８６と、下側部材８８とを有する。上側部材８６は、下側部材８８に固定されている。この固定は、凸部９０と凹部９２との係合によって達成されている。本実施形態では、上側部材８６と下側部材８８とが互いに別部材である。別部材とすることで、上側部材８６と下側部材８８とのそれぞれにおいて、最適な材質及び製法が選択されうる。可動弁体６０は全体として一体成形されていてもよい。可動弁体６０は、３つ以上の部材の組み合わせであってもよい。
【００３２】
更に可動弁体６０は、Ｏリング８９を有している。Ｏリング８９は、上側部材８６と下側部材８８との間に配置されている。
【００３３】
下側部材８８は、貫通孔９４を有する。この貫通孔９４の上側開口は、上側部材８６によって閉塞されている。この閉塞により、貫通孔９４は、流路形成凹部９６を形成している。この流路形成凹部９６は、下方に開放されている。この流路形成凹部９６は、固定弁体６２側に開放されている。
【００３４】
なお、本願では、流路形成凹部９６を有する部材及びこの部材に固定された部材が、可動弁体６０であると見なされる。
【００３５】
固定弁体６２の上面には、平滑面ＰＬ１が設けられている。上記孔８０、８２及び８４が存在していない部分が、平滑面ＰＬ１を構成している。一方、下側部材８８（可動弁体６０）の下面には、平滑面ＰＬ２が設けられている。流路形成凹部９６が形成されていない部分に、平滑面ＰＬ２が設けられている。平滑面ＰＬ１と平滑面ＰＬ２との面接触により、水密状態が確保されている。
【００３６】
上側部材８６（可動弁体６０）の上面には、レバー４６の下端部９５と係合するレバー係合穴９８が設けられている。レバー４６の下端部９５は、このレバー係合穴９８に挿入されている。レバー４６の動きに連動して、可動弁体６０が固定弁体６２の上を摺動する。
【００３７】
本実施形態では、レバー係合穴９８は凹部である。ただし、レバー係合穴９８の形態は限定されない。レバー係合穴９８は、レバー４６の下端部９５と係合していればよい。レバー係合穴９８は、レバー４６の下端部９５の動きを可動弁体６０に伝達する。
【００３８】
レバー４６とレバー係合穴９８との係合は、直接的であってもよいし、間接的であってもよい。例えば、レバー４６とレバー係合穴９８との間に他の部材が介在していてもよい。
【００３９】
上側部材８６は、上面９７を有する。この上面９７に、係合凸部９９が設けられている。係合凸部９９は、回動体４４の裏面と係合しうる。この係合凸部９９の役割については、後述される。
【００４０】
レバー４６は、軸孔１００を有する。この軸孔１００に、レバー軸４８が挿通されている。レバー４６は、レバー軸４８回りに回動しうる。この回動は、前後回動とも称される。
【００４１】
ハウジング４２は、小径円筒部１２０と、大径円筒部１２２と、連結部１２４とを有する。連結部１２４は、ハウジング４２の半径方向に延在している。小径円筒部１２０は、上方開口１２６を有する。大径円筒部１２２は、下方開口１２８を有する。
【００４２】
大径円筒部１２２は、係合孔１３０を有する。この係合孔１３０が、ベース体６８の係合凸部７７と係合している（図４（ｂ）参照）。この係合により、ハウジング４２は、ベース体６８に固定されている。
【００４３】
図７（ａ）は、回動体４４の斜視図である。図７（ａ）は斜め上方から見た斜視図である。図７（ｂ）は、回動体４４の斜視図である。図７（ｂ）は斜め下方から見た斜視図である。
【００４４】
回動体４４は、基部１０２と上部１０４とを有する。上部１０４は、レバー挿入孔１０６と、軸孔１０８とを有する。基部１０２は、可動弁体６０（上側部材８６）に、スライド可能に取り付けられている。レバー挿入孔１０６は、回動体４４を貫通している。
【００４５】
レバー４６がレバー挿入孔１０６に挿入されている。レバー４６の軸孔１００と、回動体４４の軸孔１０８とが同軸で配置される。これら軸孔１００及び軸孔１０８に、レバー軸４８が挿入される。レバー軸４８の挿入により、レバー４６が、回動可能な状態で、回動体４４に取り付けられる。レバー挿入孔１０６の寸法は、レバー４６の前後回動を許容しうるように設定されている。
【００４６】
回動体４４の上部１０４の外周面１０５の外径は、ハウジング４２の小径円筒部１２０の内径に略等しい。回動体４４の上部１０４は、小径円筒部１２０に回転可能な状態で保持されている。この回転では、上部１０４の外周面１０５と、小径円筒部１２０の内周面１２１（図６参照）とが摺動する。
【００４７】
ハウジング４２は、回動体４４を収容している。ハウジング４２は、クリック部材５２、可動弁体６０及び固定弁体６２を収容している。ハウジング４２の大径円筒部１２２は、回動体４４の基部１０２、クリック部材５２、可動弁体６０及び固定弁体６２を収容している。
【００４８】
図８（ａ）は、固定弁体６２の斜視図である。図８（ｂ）は、固定弁体６２の平面図である。図８（ｃ）は、固定弁体６２の底面図である。
【００４９】
図８（ｂ）が示すように、湯用弁孔８０は、上面開口線８０Ｌを有している。上面開口線８０Ｌは、平滑面ＰＬ１における湯用弁孔８０の開口形状である。水用弁孔８２は、上面開口線８２Ｌを有している。上面開口線８２Ｌは、平滑面ＰＬ１における水用弁孔８２の開口形状である。混合水用弁孔８４は、上面開口線８４Ｌを有している。上面開口線８４Ｌは、平滑面ＰＬ１における混合水用弁孔８４の開口形状である。
【００５０】
図８（ｃ）が示すように、湯用弁孔８０は、下面開口線８０ｓを有している。水用弁孔８２は、下面開口線８２ｓを有している。混合水用弁孔８４は、下面開口線８４ｓを有している。
【００５１】
図８（ａ）等が示すように、湯用弁孔８０は、曲がった長穴である。水用弁孔８２も、曲がった長穴である。温度調節及び吐出量の調節を考慮して、これら湯用弁孔８０及び水用弁孔８２の形状が決定されている。
【００５２】
図９（ａ）は、可動弁体６０の下側部材８８の斜視図である。図９（ｂ）は、下側部材８８の平面図である。図９（ｃ）は、下側部材８８の底面図である。
【００５３】
図９（ｃ）が示すように、流路形成凹部９６は、下面開口線９６Ｌを有する。下面開口線９６Ｌは、平滑面ＰＬ２における流路形成凹部９６の開口形状である。温度調節及び吐出量の調節を考慮して、流路形成凹部９６の形状が決定されている。
【００５４】
なお、下面開口線９６Ｌには、凸状部ｍ１が設けられている。この凸状部ｍ１は、止水状態から吐出状態に移行する際に、湯又は水の流路形成凹部９６への急激な流入を緩和しうる。よって、これらの凸状部ｍ１は、ウォーターハンマーの抑制に寄与する。本実施形態では、複数の凸状部ｍ１が設けられている。
【００５５】
図１０は、可動弁体６０の上側部材８６の平面図である。図１１は、上側部材８６の斜視図である。図１１は、上側部材８６を斜め上方から見た斜視図である。図１２（ａ）は、上側部材８６を斜め下方から見た斜視図である。図１２（ｂ）は、上側部材８６の底面図である。図１２（ｃ）は、上側部材８６の側面図である。図１３（ａ）は、図１０のａ−ａ線に沿った断面図である。図１３（ｂ）は、図１０のｂ−ｂ線に沿った断面図である。
【００５６】
前述の通り、上側部材８６は、係合凸部９９を有している。この係合凸部９９は、上側部材８６の上面に設けられている。係合凸部９９は、上方に突出している。レバー係合穴９８は、係合凸部９９内に配置されている。係合凸部９９は、上側部材８６の上面のうちの一部の領域に設けられている。よって可動弁体６０の重量の増加が抑制されている。係合凸部９９により、レバー係合穴９８が深くされている。よって、レバー４６の下端部９５から可動弁体６０への力の伝達が確実とされている。
【００５７】
図１１が示すように、係合凸部９９には、突出部１４０が設けられている。突出部１４０は、上方に向かって突出している。係合凸部９９のうちの一部の領域に、突出部１４０が設けられている。よって可動弁体６０の重量の増加が抑制されている。レバー係合穴９８は、この突出部１４０内に設けられている。突出部１４０により、レバー係合穴９８が深くされている。よって、レバー４６の下端部９５から可動弁体６０への力の伝達がより一層確実とされている。
【００５８】
突出部１４０の側面には、クリック係合部１４２が設けられている。このクリック係合部１４２は、凹凸である。クリック係合部１４２の形態は凹凸に限定されない。クリック係合部１４２は、前後クリック感を生じさせるような形態であればよい。例えば、クリック係合部１４２は、凸でもよい。例えば、クリック係合部１４２は、凹でもよい。このクリック係合部１４２は、前後クリック機構を構成している。この前後クリック機構により、前後クリック感が発現しうる。前後クリック感とは、レバー４６の前後回動に伴い生じるクリック感である。前後クリック機構の詳細については、後述される。
【００５９】
図７（ａ）及び図７（ｂ）が示すように、回動体４４は、係合凹部１４６を有している。係合凹部１４６は、回動体４４の下面に設けられている。この係合凹部１４６は、上側部材８６の係合凸部９９と係合している。この係合凹部１４６は、スライド溝の役割を果たしている。係合凹部１４６において、係合凸部９９がスライド移動する。
【００６０】
図１０及び図１１が示すように、係合凸部９９は、スライド面ｓｆ１を有している。スライド面ｓｆ１は、第一スライド面ｓｆ１１と、第二スライド面ｓｆ１２とを有する。第一スライド面ｓｆ１１と第二スライド面ｓｆ１２とは、互いに平行である。図７（ａ）及び図７（ｂ）が示すように、回動体４４の係合凹部１４６は、スライド面ｓｆ２を有している。係合凸部９９のスライド移動では、スライド面ｓｆ１がスライド面ｓｆ２に対して摺動する。可動弁体６０の移動方向は、係合凸部９９と係合凹部１４６との間のスライド機構によって規制されている。可動弁体６０の移動方向は、スライド方向Ｄ１に規制される（図７（ｂ）及び図１０参照）。このように、湯水混合栓１０は、可動弁体６０の移動方向を方向Ｄ１に規制する移動方向規制機構（第一移動方向規制機構）を有している。この移動方向規制機構は、可動弁体６０と回動体４４との間に設けられている。この移動方向規制機構は、スライド機構である。
【００６１】
なお、このスライド機構は、レバー４６の左右回動を可動弁体６０に伝達する回転伝達機構でもある。レバー４６の左右回動は、回動体４４に伝達される。この結果、回動体４４が回転する。上記回転伝達機構により、この回動体４４の回転が、可動弁体６０に伝達される。よって、レバー４６の左右回動により、可動弁体６０が回転する。
【００６２】
図１４（ａ）はレバー４６の側面図である。図１４（ｂ）はレバー４６の正面図である。図１４（ｃ）は図１４（ｂ）のｃ−ｃ線に沿った断面図である。
【００６３】
本願では、レバー４６の下端部９５のうち、レバー係合穴９８と当接しうる部分が、レバー当接部ｔｓ１とも称される。レバー当接部ｔｓ１の決定では、レバー４６の前後回動の全範囲が考慮される。いかなるレバー位置においてもレバー係合穴９８に当接し得ない部分は、レバー当接部ｔｓ１ではない。
【００６４】
本実施形態では、レバー当接部ｔｓ１では、点接触が生じる。レバー４６の前後回動に伴い、この接点が、レバー４６の下端部９５の表面を移動する。よって、レバー当接部ｔｓ１は、一点ではない。レバー４６を全範囲で前後回動させることにより、レバー当接部ｔｓ１は、線又は面となる。
【００６５】
言うまでもなく、レバー当接部ｔｓ１とレバー係合穴９８との接触は、点接触でなくてもよい。この接触は、線接触であってもよいし、面接触であってもよい。
【００６６】
このように、レバー４６の下端部９５は、レバー当接部ｔｓ１を有している。このレバー当接部ｔｓ１が、可動弁体６０のレバー係合穴９８に当接している。この当接により、レバー４６の下端部９５の動きが可動弁体６０に伝達される。よって、レバー４６の前後回動に伴い、可動弁体６０が移動する。
【００６７】
本実施形態では、レバー４６の下端部９５が凸曲面ｒｓ１を有している。レバー当接部ｔｓ１は、この凸曲面ｒｓ１に位置している。レバー当接部ｔｓ１の全体が、凸曲面ｒｓ１に位置している。本実施形態において、凸曲面ｒｓ１は三次元曲面である。本実施形態において、凸曲面ｒｓ１は球面である。
【００６８】
この凸曲面ｒｓ１は、外側に向かって凸である。すなわち、凸曲面ｒｓ１は、レバー下端部９５の外側に向かって凸である。レバー下端部９５の長手方向中心軸に沿った断面において、凸曲面ｒｓ１の断面線は、外側に凸のラインである。上記長手方向中心軸に対して垂直な方向が下端部垂直方向とされるとき、凸曲面ｒｓ１の上記断面線は、上記下端部垂直方向の外側に向かう凸形状である。
【００６９】
レバー当接部ｔｓ１が凸曲面ｒｓ１とされることにより、レバー下端部９５とレバー係合穴９８との当接の自由度が高まる。このため、レバー４６の下端部９５とレバー係合穴９８との当接が円滑となる。
【００７０】
本実施形態では、下端部９５の周方向の全体に亘って、凸曲面ｒｓ１が設けられている。本実施形態では、下端部９５の周方向の全体に亘って、球面である凸曲面ｒｓ１が設けられている。このため、レバー下端部９５とレバー係合穴９８との当接の自由度がより一層高まる。この自由度の向上により、レバー４６の取り付け誤差が効果的に吸収されうる。更に、レバー４６の汎用性が高まる。
【００７１】
いうまでもなく、レバー当接部ｔｓ１は平面であってもよい。レバー当接部ｔｓ１は、円筒面であってもよい。
【００７２】
図１５は、止水状態におけるバルブ組立体４０の側面図である。図１５と図４（ｂ）とでは、視点が９０度相違する。図１６は、図１５のＡ−Ａ線に沿った断面図である。図１７（ａ）は、図１５のＢ−Ｂ線に沿った断面図である。図１７（ｂ）は、図１７（ａ）と同じ位置の断面図である。図１７（ａ）が止水状態を示しているのに対して、図１７（ｂ）は最大吐出状態を示している。レバー４６を最大限に前後回動させると、止水状態と最大吐出状態との相互移行が達成される。
【００７３】
図１７（ａ）及び図１７（ｂ）が示すように、レバー４６の前後回動により、可動弁体６０が移動する。可動弁体６０の移動に関して、本願では、次の方向Ｄ１、Ｄ２及びＤ３が定義される。
・方向Ｄ１：可動弁体６０の移動方向
・方向Ｄ２：レバー４６の前後回動方向
・方向Ｄ３：レバー係合穴９８の長手方向
上記方向Ｄ１、Ｄ２及びＤ３は、いずれも、上側から見た平面視における方向である。
【００７４】
上述の通り、可動弁体６０の移動方向は、方向Ｄ１に制約されている。この方向Ｄ１は、直線に沿った方向である。図１７（ａ）及び図１７（ｂ）に示されるように、レバー４６の前後回動方向Ｄ２は、方向Ｄ１に対して傾斜している。図１７（ａ）及び図１７（ｂ）において両矢印θｘで示されるのは、方向Ｄ１と前後方向Ｄ２との成す角度である。この角度θｘは鋭角である。角度θｘの単位は度（ｄｅｇｒｅｅ）である。
【００７５】
従来の湯水混合栓では、この方向Ｄ２と方向Ｄ１とが平行である。換言すれば、従来の湯水混合栓では、θｘが０°である。これに対して、湯水混合栓１０では、前後方向Ｄ２が方向Ｄ１に対して平行ではない。
【００７６】
このように、湯水混合栓１０では、上記方向Ｄ２が、上記方向Ｄ１に対して傾斜している。この傾斜が、本願において、傾斜Ｘとも称される。この傾斜Ｘにより、湯用弁孔８０及び水用弁孔８２と流路形成凹部９６との重なりの設計自由度が高まる。よって、吐出仕様の設計自由度が向上しうる。本願では、この傾斜Ｘが、「可動弁体斜め移動」とも称される。
【００７７】
図１８は、レバー係合穴９８の平面図である。レバー係合穴９８は、長手方向Ｄ３を有している。レバー４６が前後回動されると、レバー４６の下端部９５は、レバー係合穴９８の内部を、長手方向Ｄ３に沿って移動する。レバー係合穴９８が長穴とされることで、可動弁体斜め移動が許容するスペースが確保されている。
【００７８】
図１９（ａ）及び図１９（ｂ）は、クリック部材５２の本体５４の斜視図である。図１９（ａ）は斜め上方から見た斜視図である。図１９（ｂ）は斜め下方から見た斜視図である。
【００７９】
本体５４は、第一基部１５０と第二基部１５２と連結部１５４とを有する。第一基部１５０と第二基部１５２とは互いに離れている。連結部１５４は、第一基部１５０と第二基部１５２とを連結している。２つの連結部１５４が設けられている。第一の連結部１５４は、第一基部１５０の一方側と第二基部１５２の一方側とを連結している。第二の連結部１５４は、第一基部１５０の他方側と第二基部１５２の他方側とを連結している。
【００８０】
クリック部材５２は、中央開口ｋ１を有する。中央開口ｋ１は、第一基部１５０と第二基部１５２との間に位置する。中央開口ｋ１は、第一の連結部１５４と第二の連結部１５４との間に位置する。中央開口ｋ１は、クリック部材５２（本体５４）を貫通している。
【００８１】
第一の連結部１５４は真っ直ぐに延びている。第二の連結部１５４は真っ直ぐに延びている。第一の連結部１５４と第二の連結部１５４とは互いに離れている。第一の連結部１５４と第二の連結部１５４とは互いに平行である。本体５４の中央部分は空間である。
【００８２】
図１９（ｂ）が示すように、第一基部１５０は、当接部材収容部１５６と、弾性部材支持部１５８とを有する。当接部材収容部１５６は、当接部材５８を収容しうる。当接部材収容部１５６は、本体５４の中心側に開放された開放部ｋ２を有する。当接部材収容部１５６は、当接部材５８をスライド可能に支持しうる。当接部材５８のスライドでは、当接部材収容部１５６の両側面１５７が、当接部材５８の側面と摺動する。当接部材５８は、弾性部材５６の付勢方向にスライドしうる。弾性部材支持部１５８は、板バネである弾性部材５６の両端部を支持しうる。当接部材５８のスライド移動は、出退移動の一例である。
【００８３】
なお、当接部材収容部１５６は下方にも開放されている。当接部材５８は、下方から当接部材収容部１５６に配置されうる。弾性部材支持部１５８も下方に開放されている。弾性部材５６は、下方から弾性部材支持部１５８に配置されうる。
【００８４】
本体５４の上面１６０は、一つの平面である。第一基部１５０の上面と、第二基部１５２の上面と、２つの連結部１５４の上面とは、同一平面である。
【００８５】
本体５４の下面１６２は、一つの平面である。すなわち、第一基部１５０の下面と第二基部１５２の下面とは同一平面である。
【００８６】
本体５４は、第一規制面１６４と第二規制面１６６とを有する。第一規制面１６４は、第一基部１５０の内側面である。第二規制面１６６は、第二基部１５２の内側面である。第一規制面１６４は平面である。第二規制面１６６は平面である。第一規制面１６４と第二規制面１６６とは互いに対向している。第一規制面１６４と第二規制面１６６とは互いに平行である。
【００８７】
連結部１５４は、外側面１５４ａを有する。２つの連結部１５４のそれぞれが、外側面１５４ａを有する。２つの外側面１５４ａのそれぞれは、平面である。
【００８８】
本体５４は、その両側に、側面５４ａを有する。２つの側面５４ａは、それぞれ、平面である。２つの側面５４ａは、互いに平行である。側面５４ａは、外側面１５４ａを含む。換言すれば、外側面１５４ａは、側面５４ａの一部である。
【００８９】
図２０は、組立状態におけるクリック部材５２及び上側部材８６を示す斜視図である。
【００９０】
クリック部材５２は、移動しうる。クリック部材５２は、可動弁体６０に対して移動しうる。図２０において両矢印Ｄ４で示されるのは、可動弁体６０に対するクリック部材５２の移動方向である。本願において、この方向Ｄ４におけるクリック部材５２の移動が、相対移動とも称される。この相対移動では、本体５４の下面１６２が、上面９７の上を摺動する。この相対移動において、上面９７と下面１６２との面接触は維持されている。
【００９１】
クリック部材５２の相対移動は、レバー４６の回転と連動して発生する。レバー４６を回転させない限り、この相対移動は生じない。
【００９２】
このクリック部材５２の相対移動により、クリック係合部１４２と当接部材５８との相対距離が変化する。このクリック部材５２の相対移動により、前後クリック係合の大きさ（度合）が変化する。
【００９３】
本実施形態では、回動体４４が、このクリック部材５２の相対移動方向を方向Ｄ４に規制している。回動体４４は、係合凹部１６８を有する（図７（ｂ）参照）。回動体４４は、スライド面ｓｆ３を有している。スライド面ｓｆ３は平面である。２つのスライド面ｓｆ３は互いに対向している。２つのスライド面ｓｆ３は互いに平行である。スライド面ｓｆ３のそれぞれは、方向Ｄ４に沿って延びている。これらのスライド面ｓｆ３により、係合凹部１６８が形成されている。これらのスライド面ｓｆ３のそれぞれに、本体５４の外側面１５４ａが摺動する。これらのスライド面ｓｆ３のそれぞれに、本体５４の側面５４ａが摺動する。このように、本体５４（クリック部材５２）は、係合凹部１６８をスライド移動する。このスライド移動により、上記相対移動が達成されている。このように、湯水混合栓１０は、クリック部材５２の移動方向を方向Ｄ４に規制する移動方向規制機構（第二移動方向規制機構））を有している。この移動方向規制機構は、クリック部材５２と回動体４４との間に設けられている。この移動方向規制機構は、スライド機構である。
【００９４】
更に、湯水混合栓１０は、クリック部材５２の移動方向を方向Ｄ４に規制する他の移動方向規制機構（第三移動方向規制機構）を有している。図７（ｂ）が示すように、回動体４４は、スライド溝ｓｖ１を有する。２本のスライド溝ｓｖ１が設けられている。これらのスライド溝ｓｖ１は、方向Ｄ４に延びている。スライド溝ｓｖ１のそれぞれにおいて、一方の側面は、前述のスライド面ｓｆ３でもある。これらスライド溝ｓｖ１のそれぞれに、本体５４の連結部１５４が配置されている。連結部１５４のそれぞれが、スライド溝ｓｖ１のそれぞれにおいてスライド移動しうる。このように、クリック部材５２と回動体４４との間に、移動方向規制機構（第三移動方向規制機構）が設けられている。２つの移動方向規制機構により、スライド移動の安定性が高められている。また、スライド溝ｓｖ１により連結部１５４が支持されているため、連結部１５４の変形が抑制される。よって、クリック部材５２の耐久性が向上しうる。また、クリック部材５２の変形が抑制されることで、前後クリック係合の精度が高まる。更に、連結部１５４を細くすることが可能となるため、設計自由度が向上する。
【００９５】
図２０が示すように、上側部材８６の係合凸部９９は、第一規制面１６４と第二規制面１６６との間に位置する。
【００９６】
レバー係合穴９８は、第一基部１５０と第二基部１５２との間に位置する。平面視において、レバー係合穴９８は、第一の連結部１５４と第二の連結部１５４との間に位置する。図２０には図示されていないが、レバー４６は、中央開口ｋ１（図１９（ａ）参照）を通過して、レバー係合穴９８に当接している。レバー４６は、中央開口ｋ１の内側で動く。中央開口ｋ１に起因して、レバー４６はクリック部材５２に干渉しない。レバー４６の位置に関わらず、レバー４６はクリック部材５２に当たらない。クリック部材５２は、レバー４６及び可動弁体６０の動きを阻害しない。
【００９７】
図１９（ａ）において両矢印Ｗ１で示されるのは、第一規制面１６４と第二規制面１６６との間の距離である。図１０において両矢印Ｗ２で示されるのは、係合凸部９９の幅である。距離Ｗ１は、幅Ｗ２よりも大きい。このため、クリック部材５２の上記相対移動が可能とされている。第一規制面１６４が第一スライド面ｓｆ１１に当接しているとき、第二規制面１６６は第二スライド面ｓｆ１２から離れている。第二規制面１６６が第二スライド面ｓｆ１２に当接しているとき、第一規制面１６４は第一スライド面ｓｆ１１から離れている。
【００９８】
クリック部材５２の相対移動により、前後クリック係合の度合が変化する。第一規制面１６４が第一スライド面ｓｆ１１に当接しているとき、前後クリック係合の度合が最大である。一方、第二規制面１６６が第二スライド面ｓｆ１２に当接しているとき、前後クリック係合の度合が最小である。本実施形態では第二規制面１６６が第二スライド面ｓｆ１２に当接しているとき、前後クリック係合が解除されている（図２０参照）。前後クリック係合が解除されると、前後クリック感が生じない。
【００９９】
差（Ｗ１−Ｗ２）は、クリック部材５２の相対移動の最大距離である。第一規制面１６４及び第二規制面１６６は、クリック部材５２の相対移動距離を規制している。
【０１００】
前述のとおり、本体５４は、クリック部材当接面ａ１を有する。クリック部材当接面ａ１は、２箇所に設けられている。クリック部材当接面ａ１は、本体５４の側面の一部である。クリック部材当接面ａ１は、本体５４の一端面及び他端面を形成している。
【０１０１】
図２０が示すように、クリック部材当接面ａ１は、第一当接面ａ１１と第二当接面ａ１２とを有する。第一当接面ａ１１は、本体５４の一端面を形成している。第二当接面ａ１２は、本体５４の他端面を形成している。第一当接面ａ１１は、クリック部材５２の移動方向Ｄ４における一方側に位置している。第二当接面ａ１２は、クリック部材５２の移動方向Ｄ４における他方側に位置している。方向Ｄ４は、クリック部材５２の相対移動方向である。
【０１０２】
第一当接面ａ１１は、第一基部１５０の側面である。第二当接面ａ１２は、第二基部１５２の側面である。
【０１０３】
第一当接面ａ１１は、円周面の一部である。第二当接面ａ１２は、円周面の一部である。第一当接面ａ１１と第二当接面ａ１２とは、同一の円周面の一部である。これらの形状は、円滑な摺動に寄与し、ハンドル１４の操作性を高める。
【０１０４】
クリック部材当接面ａ１がハウジング４２の内面と当接することにより、クリック部材５２の相対移動が生じる。この相対移動により、前後クリック係合の度合が変化する。
【０１０５】
図２１は、当接部材５８の斜視図である。当接部材５８は、係合部１７０、弾性部材当接部１７２及び側面１７４を有する。弾性部材当接部１７２は、当接面１７６と対向面１７８とを有する。対向面１７８は、当接面１７６に対向している。弾性部材５６は、当接面１７６と対向面１７８との間に配置される。側面１７４は、前述の両側面１５７に当接している。この当接により、当接部材５８のスライド移動が案内されている。当接部材５８のスライド移動の方向は、上記方向Ｄ４に一致している。
【０１０６】
係合部１７０の形態は凹凸に限定されない。係合部１７０は、クリック係合部１４２との係合により前後クリック感を生じさせるような形態であればよい。例えば、係合部１７０は、凸でもよい。例えば、係合部１７０は、凹でもよい。
【０１０７】
前後クリック係合では、当接部材５８がクリック係合部１４２に当接する。より詳細には、係合部１７０がクリック係合部１４２に当接する。弾性部材５６は、当接部材５８をクリック係合部１４２側に付勢しうる。弾性部材５６の付勢力は、当接面１７６を押圧しうる。この付勢力により、前後クリック係合が維持されうる。この付勢力の大きさによって、前後クリック係合の度合が変化しうる。なお、当接部材５８の底面１７９は、可動弁体６０の上面９７に載置されている。当接部材５８は、上面９７によって下方から支持されている。上面９７は、当接部材５８の脱落を防止している。
【０１０８】
［用語の定義］
クリック感に関して、本願では、以下の用語が定義される。なお、好ましいクリック感は、触覚及び／又は聴覚によって感知されうる感覚である。
【０１０９】
［前後クリック感］
前後クリック感とは、レバー４６の前後回動に伴い生じうるクリック感である。前後クリック感として、振動、音、操作抵抗力の変化、等が挙げられる。
【０１１０】
［前後クリック係合］
前後クリック係合とは、前後クリック感を生じさせる係合である。係合の態様は限定されない。本実施形態では、前後クリック係合は、クリック部材Ａとクリック係合部Ａとの係合である。
【０１１１】
［左右クリック感］
左右クリック感とは、レバー４６の左右回動に伴い生じうるクリック感である。左右クリック感として、振動、音、操作抵抗力の変化、等が挙げられる。
【０１１２】
［左右クリック係合］
左右クリック係合とは、左右クリック感を生じさせる係合である。係合の態様は限定されない。本実施形態では、左右クリック係合は、クリック部材Ｂとクリック係合部Ｂとの係合である。
【０１１３】
［クリック係合部Ａ］
クリック係合部Ａは、前後クリック係合を生じさせる。クリック係合部Ａは、可動弁体６０に設けられている。本実施形態では、前述したクリック係合部１４２が、クリック係合部Ａである（図１０及び図１１参照）。なお、前述の通り、流路形成凹部９６が設けられている部材に固定されている部材は、全て、可動弁体と見なされる。本実施形態では、流路形成凹部９６が設けられている部材は、下側部材８８である。
【０１１４】
［クリック部材Ａ］
クリック部材Ａは、クリック係合部Ａとの係合により、前後クリック係合を生じさせる。クリック部材Ａは、可動弁体６０と共に移動しない。一方、クリック部材Ａは、可動弁体６０と共に回転する。レバー４６が左右回動されると、クリック部材Ａはレバー４６と共に回動する。クリック部材Ａは、回動体４４と共に左右回動する。本実施形態では、クリック部材Ａは、可動弁体６０の上部とスライド可能に係合している。クリック部材Ａは、可動弁体６０の上部においてスライド移動しうる。このスライド移動の詳細については、後述される。
【０１１５】
本実施形態において、クリック部材Ａは、クリック部材５２である。
【０１１６】
［本体Ａ、当接部材Ａ、弾性部材Ａ］
用語の区別を明確とする目的で、本願では、本体Ａ、当接部材Ａ及び弾性部材Ａとの用語が用いられる。これらは、上記クリック部材Ａを構成している部材である。即ち、上記クリック部材Ａが、本体Ａ、当接部材Ａ及び弾性部材Ａを有している。
【０１１７】
［本体Ａ］
本体Ａは、クリック部材Ａの本体である。本体Ａは、クリック部材当接面Ａを有する。上記実施形態において、本体Ａは、本体５４である。
【０１１８】
［クリック部材当接面Ａ］
クリック部材当接面Ａは、本体Ａに設けられている。クリック部材当接面Ａは、ハウジング４２の内面に摺動可能に当接しうる。上記実施形態において、クリック部材当接面Ａは、クリック部材当接面ａ１である。
【０１１９】
クリック部材当接面Ａは、本体Ａ以外に設けられても良い。たとえば、クリック部材当接面Ａは、当接部材Ａに設けられても良い。
【０１２０】
［当接部材Ａ］
当接部材Ａは、上記クリック部材Ａに当接しうる。この当接により、前後クリック係合が生じる。上記実施形態において、当接部材Ａは、当接部材５８である。
【０１２１】
［弾性部材Ａ］
弾性部材Ａは、当接部材Ａを、クリック係合部Ａ側に付勢しうる。この付勢により、当接部材Ａは、クリック係合部Ａに押し当てられうる。上記実施形態において、弾性部材Ａは、弾性部材５６である。この弾性部材５６は板バネである。上記実施形態では、２枚の板バネが重ねて用いられている。
【０１２２】
［クリック係合部Ｂ、クリック部材Ｂ］
用語の区別を明確とする目的で、本願では、クリック係合部Ｂ及びクリック部材Ｂとの用語が用いられる。これらは、左右クリック係合に関与する。  
【０１２３】
［クリック係合部Ｂ］
クリック係合部Ｂは、左右クリック係合を生じさせる。クリック係合部Ｂは、クリック部材Ｂに当接しうる。クリック係合部Ｂは、レバー４６の左右回動に連動しない。クリック係合部Ｂは、レバー４６の左右回動及び前後回動に関わらず、固定されている。クリック係合部Ｂは、ハウジング４２の内面に設けられている。本実施形態では、図４（ａ）が示されている突起ｔ１が、クリック係合部Ｂである。この突起ｔ１は、小径円筒部１２０の内面に設けられている。クリック係合部Ｂは、ハウジング４２と一体であってもよい。クリック係合部Ｂは、ハウジング４２とは別体であってもよい。クリック係合部Ｂは、ハウジング４２に取り付けられていても良い。クリック係合部Ｂは、ハウジング４２以外の部材に設けられても良い。
【０１２４】
［クリック部材Ｂ］
クリック部材Ｂは、クリック係合部Ｂとの係合により、左右クリック係合を生じさせる。クリック部材Ｂは、レバー４６の前後回動に連動しない。クリック部材Ｂは、レバー４６の左右回動に連動する。クリック部材Ｂは、回動体４４と共に左右回動する。クリック部材Ｂは、回動体４４に保持されているのが好ましい。
【０１２５】
本実施形態において、クリック部材Ｂは、クリック部材５０である。このクリック部材５０は、弾性体である。本実施形態において、クリック部材５０は、板バネである（図６参照）。この板バネは、基部５０ａと突出部５０ｂとを有する。基部５０ａは平板状である。突出部５０ｂはＵ字状である。平坦な板バネの中央部を曲げることにより、クリック部材５０が成形されている。基部５０ａは、突出部５０ｂの両側に配置されている。２つの基部５０ａは翼状に延びている。
【０１２６】
このクリック部材５０は、回動体４４に固定されて用いられる。回動体４４は、クリック部材用開口１８０を有している（図６及び図７（ａ）参照）。図示されないが、この開口１８０は２箇所に設けられている。２つの開口１８０の周方向位置は１８０度相違している。図示されないが、これらの開口１８０のそれぞれにおいて、突出部５０ｂの先端が、外側に突出している。すなわちクリック部材５０は、突出部５０ｂの先端が開口１８０から外側に突出するように固定されている。基部５０ａは回動体４４の内面に固定されている。クリック部材５０の弾性変形により、この突出部５０ｂは出退しうる。この突出部５０ｂが、上記突起ｔ１に係合する。この係合により、左右クリック感が生ずる。
【０１２７】
もちろん、クリック部材Ｂの構造は限定されない。例えば、クリック部材Ａに用いられている上記弾性部材５６及び当接部材５８が、クリック部材Ｂに用いられても良い。
【０１２８】
上記実施形態では、前後クリック機構は、ハウジング４２に収容されている。可動弁体６０はハウジング４２の内部に位置する。固定弁体６２はハウジング４２の内部に位置する。クリック部材Ａ（クリック部材５２）は、ハウジングの内部に位置する。クリック係合部Ａ（クリック係合部１４２）は、ハウジングの内部に位置する。前後クリック機構は外部から視認されない。この前後クリック機構は外部に露出していない。バルブ組立体４０の外形は、通常品と同様である。よってこのバルブ組立体４０は、汎用の湯水混合栓に利用されうる。このバルブ組立体４０は汎用性に優れる。
【０１２９】
［前後クリック機構］
上述の通り、前後クリック機構は、クリック部材５２（クリック部材Ａ）とクリック係合部１４２（クリック係合部Ａ）とを有している。
【０１３０】
クリック部材Ａは、可動弁体６０と回動体４４との間に設けられている。また、クリック係合部Ａは、可動弁体６０に設けられている。よって、前後クリック機構はコンパクトである。よって、前後クリック機構がハウジング４２の内部に容易に収容されうる。また、部品点数が抑制され、組立コストも抑制されている。
【０１３１】
［前後クリック機構の詳細］
【０１３２】
好ましくは、前後クリック係合に起因する前後クリック感が、次の態様（ｘ１）又は（ｘ２）である。
（ｘ１）上記前後クリック感が、上記レバーの左右回動における一部の角度範囲で発現し、他の角度範囲では発現しない。
（ｘ２）上記レバーの左右回動において、一部の角度範囲での上記前後クリック感が、他の角度範囲での上記前後クリック感よりも大きい。
【０１３３】
本実施形態では、態様（ｘ１）が採用されている。態様（ｘ２）が採用されてもよい。例えば、本実施形態において、クリック部材５２の相対移動の距離を調整することにより、態様（ｘ２）が達成されうる。また、例えば、クリック係合部１４２及び／又は当接部材５８の凹凸の高さの調節により、態様（ｘ２）が達成されうる。
【０１３４】
クリック部材５２の相対移動により、クリック係合部１４２と当接部材５８との距離が変化する。この変化に起因して、上記前後クリック係合の度合が変化しうる。この度合は、例えば、係合部１７０の凹凸とクリック係合部１４２の凹凸との重なりの深さによって変化しうる。
【０１３５】
なお、前後クリック係合の度合とは、前後クリック係合の有無を含む概念である。
【０１３６】
クリック部材５２の相対移動は、ハウジング４２の内面とクリック部材５２との当接に起因している。より詳細には、クリック部材５２の相対移動は、ハウジング４２の内面とクリック部材当接面ａ１との当接に起因している。
【０１３７】
図２２及び図２３は、図１５のＣ−Ｃ線の位置における断面図である。図１５のＣ−Ｃ線の位置は、本体５４の連結部１５４の下面に一致している。図２２は、レバー左右位置が水側にあるときの断面図である。図２２のレバー左右位置では、水のみが吐出され、湯が混合されない。図２３のレバー左右位置では、水と湯とが混合される。
【０１３８】
クリック部材当接面ａ１は、ハウジング４２の内面に摺動可能に当接しうる。図２２及び図２３が示すように、ハウジング４２の内面は、クリック部材当接面ａ１に摺動可能に当接しうるハウジング当接面Ｈｔを有している。このハウジング当接面Ｈｔは、クリック部材５２の位置を制御しうる。
【０１３９】
ハウジング当接面Ｈｔは、ハウジング４２の内面に設けられている。ハウジング当接面Ｈｔは、大径円筒部１２２の内面に設けられている。
【０１４０】
ハウジング当接面Ｈｔは内周面を形成している。クリック部材当接面ａ１は外周面を形成している。クリック部材当接面ａ１は、円筒面（の一部）である。ハウジング当接面Ｈｔの曲率半径は、クリック部材当接面ａ１の曲率半径に近い。ハウジング当接面Ｈｔとクリック部材当接面ａ１との摺動は円滑である。
【０１４１】
本実施形態のように、クリック部材当接面ａ１は、曲面形状が好ましい。この曲面形状は、平面視において円弧状であるのが好ましい。角を有する形状では、ハウジング当接面Ｈｔとの当接時において引っ掛かりが生じる。円滑な摺動の観点から、平面視におけるクリック部材当接面ａ１の曲率半径Ｒ１は、平面視におけるハウジング当接面Ｈｔの曲率半径Ｒ２に近いのが好ましい。
【０１４２】
上記曲率半径Ｒ１及び上記曲率半径Ｒ２に関して、より好ましくは、Ｒ１≦Ｒ２とされる。曲率半径Ｒ１が曲率半径Ｒ２より大きい場合、上記引っ掛かりが生じうる。引っ掛かりを抑制して円滑な摺動を可能とする観点から、曲率半径Ｒ１は曲率半径Ｒ２以下であるのが好ましい。
【０１４３】
Ｒ１≦Ｒ２を充足させ、且つ、曲率半径Ｒ１と曲率半径Ｒ２とを近似させる観点から、比（Ｒ１／Ｒ２）は、０．９以上が好ましく、１．０以下が好ましい。
【０１４４】
図２２及び図２３が示すように、ハウジング当接面Ｈｔは、第一ハウジング当接面Ｈｔ１と、第二ハウジング当接面Ｈｔ２とを有している。更に、ハウジング当接面Ｈｔは、移行面Ｈｔ３を有している。第一ハウジング当接面Ｈｔ１又は第二ハウジング当接面Ｈｔ２に隣接して、移行面Ｈｔ３が設けられている。移行面Ｈｔ３は傾斜面である。移行面Ｈｔ３は、他のハウジング当接面Ｈｔに滑らかに連続している。
【０１４５】
ハウジング当接面Ｈｔは、周方向の全体に設けられていない。クリック部材５２には２つのクリック部材当接面ａ１（第一当接面ａ１１及び第二当接面ａ１２）が設けられている。当接面ａ１１又は当接面ａ１２のいずれか一方がハウジング当接面Ｈｔに当接することで、クリック部材５２の位置は制御されうる。２つの当接面ａ１１及び当接面ａ１２により、ハウジング当接面Ｈｔとの当接のみにより、クリック部材５２は往復移動しうる。よって、クリック部材５２の位置を復帰させるための付勢部材等は不要とされている。このため、クリック部材５２を移動させるための機構は、シンプルであり、信頼性に優れる。
【０１４６】
図２２は、第二状態Ｊ２を示している。第二状態Ｊ２では、クリック部材当接面ａ１が第二ハウジング当接面Ｈｔ２に当接している。第二状態Ｊ２では、クリック係合部１４２が係合部１７０から離れている。第二状態Ｊ２では、前後クリック係合が達成されていない。第二状態Ｊ２では、前後クリック感が発現しない。
【０１４７】
図２３は、第一状態Ｊ１を示している。第一状態Ｊ１では、クリック部材当接面ａ１が第一ハウジング当接面Ｈｔ１に当接している。第一状態Ｊ１では、クリック係合部１４２が係合部１７０に係合している。第一状態Ｊ１では、前後クリック係合が達成されている。第一状態Ｊ１では、前後クリック感が発現する。
【０１４８】
第一状態Ｊ１と第二状態Ｊ２との相互移行は、レバー４６の左右回動によって達成される。
【０１４９】
第二状態Ｊ２から第一状態Ｊ１への移行では、レバー４６が水側から湯側へと左右回動される。この左右回動の過程において、クリック部材当接面ａ１（第一当接面ａ１１）がハウジング当接面Ｈｔ（第一ハウジング当接面Ｈｔ１）に当接し、クリック部材５２が移動する。
【０１５０】
第二状態Ｊ２から第一状態Ｊ１への移行では、クリック部材当接面ａ１は、移行面Ｈｔ３に摺動し、第一状態Ｊ１に至る。移行面Ｈｔ３により、第二状態Ｊ２から第一状態Ｊ１への移行は円滑である。
【０１５１】
第一状態Ｊ１から第二状態Ｊ２への移行では、レバー４６が湯側から水側へと左右回動される。この左右回動の過程において、クリック部材当接面ａ１（第二当接面ａ１２）がハウジング当接面Ｈｔ（第二ハウジング当接面Ｈｔ２）に当接し、クリック部材５２が移動する。
【０１５２】
第一状態Ｊ１から第二状態Ｊ２への移行では、クリック部材当接面ａ１は、移行面Ｈｔ３に摺動し、第二状態Ｊ２に至る。移行面Ｈｔ３により、第一状態Ｊ１から第二状態Ｊ２への移行は円滑である。
【０１５３】
図示されないが、クリック部材当接面ａ１が移行面Ｈｔ３に当接している状態が、第三状態Ｊ３である。本実施形態では、第一状態Ｊ１と第二状態Ｊ２との相互移行の間に、上記第三状態Ｊ３が経由される。第一状態Ｊ１と第二状態Ｊ２との相互移行を円滑とし、レバー４６の操作性を高める観点から、上記相互移行において、上記第三状態が経由されるのが好ましい。なお、第三状態Ｊ３は生じなくてもよい。
【０１５４】
このように、第一状態Ｊ１と第二状態Ｊ２との相互移行により、前後クリック係合が生ずるか否かの切替が可能とされている。
【０１５５】
前後クリック係合の切替は、上記第三状態の間に生ずる。この第三状態においては、前後クリック感の大きさが徐々に変化しうる。移行面Ｈｔ３の設定によって、前後クリック感の変化の大きさを調整することができる。例えば、移行面Ｈｔ３の範囲を広げ且つ移行面Ｈｔ３の傾斜を緩やかにすることで、前後クリック感の変化を緩やかにすることができる。ハウジング当接面Ｈｔによる前後クリック係合の調整は、自由度に優れる。
【０１５６】
レバー４６の左右回動によって、第一状態Ｊ１と第二状態Ｊ２との切替が生ずる。レバー４６の左右方向位置（レバー周位置）によって、第一状態Ｊ１か第二状態Ｊ２かが定まる。よって、レバー周位置により、前後クリック係合が生ずるか否かが定まる。
【０１５７】
なお、第二状態Ｊ２においても前後クリック係合が生じても良い。好ましくは、この第二状態Ｊ２における前後クリック感は、第一状態Ｊ１における前後クリック感よりも小さくされうる。この構成は、例えば、第一ハウジング当接面Ｈｔ１の位置を調整することにより、可能となる。
【０１５８】
ハウジング当接面Ｈｔ及びクリック部材当接面ａ１の面積は限定されない。これらの当接面の面積は、必要最小限とされてもよい。
【０１５９】
第二状態Ｊ２では、前後クリック係合が生じていない。一旦、第二状態Ｊ２に移行してしまえば、第二状態Ｊ２を維持するための力は不要とされうる。前後クリック係合が解除された状態が解除状態とされるとき、この解除状態は、上記第二状態Ｊ２と非当接状態とを含んでいてもよい。この非当接状態とは、第二ハウジング当接面Ｈｔ２が第二当接面ａ１２に当接していない状態である。この場合、第二ハウジング当接面Ｈｔ２及び／又は第二当接面ａ１２が小さくされうる。よって、クリック部材５２及びハウジング当接面Ｈｔの設計自由度が高まる。もちろん、上記解除状態に対応したレバー周位置の全範囲において、上記第二状態Ｊ２が達成されていてもよい。
【０１６０】
第一状態Ｊ１では、前後クリック係合が生じている。この係合は、クリック部材５２を係合解除方向に移動させうる。前後クリック係合を確実とする観点から、この移動が防止されるのが好ましい。前後クリック係合が達成された状態が係合状態とされる。前後クリック係合を維持する観点から、上記係合状態に対応したレバー周位置の全範囲において、上記第一状態Ｊ１が達成されているのが好ましい。
【０１６１】
好ましくは、湯水混合栓１０では、次の態様（ｙ１）又は（ｙ２）が可能とされている。
（ｙ１）上記第一状態Ｊ１では上記前後クリック感が発現し、上記第二状態Ｊ２では上記前後クリック感が発現しない。
（ｙ２）上記第一状態Ｊ１における上記前後クリック感が、上記第二状態Ｊ２における上記前後クリック感よりも大きい。
【０１６２】
クリック感の多様性の観点から、次の態様（ｚ１）が可能とされていてもよい。
（ｚ１）レバー４６の角度範囲は、レバー４６の左右回動に伴い前後クリック感の大きさが徐々に又は段階的に変化する範囲Ｒ３を有する。
【０１６３】
省エネルギーの観点から、次の態様（ｚ２）が可能とされていてもよい。
（ｚ２）レバー４６の角度範囲は、レバー４６を高温側に左右回動するほど前後クリック感が徐々に又は段階的に大きくなる角度範囲Ｒ４を有する。
【０１６４】
上述の通り、湯水混合栓１０では、上記前後クリック係合に起因する前後クリック感が、次の態様（ｘ１）又は（ｘ２）であるのが好ましい。
（ｘ１）上記前後クリック感が、上記レバーの左右回動における一部の角度範囲Ｒｘで発現し、他の角度範囲Ｒｙでは発現しない。
（ｘ２）上記レバーの左右回動において、一部の角度範囲Ｒａでの上記前後クリック感が、他の角度範囲Ｒｂでの上記前後クリック感よりも大きい。
【０１６５】
上記態様（ｘ１）は、例えば、次の態様（ｘ１０）を含む。
（ｘ１０）上記前後クリック感が、上記レバーの左右回動における一部の角度範囲Ｒｘで発現し、他の角度範囲Ｒｙでは発現しない。更に、上記角度範囲Ｒｘが角度範囲Ｒａ及び角度範囲Ｒｂを含んでおり、上記範囲Ｒａでの上記前後クリック感が、上記範囲Ｒｂでの上記前後クリック感よりも大きい。
【０１６６】
上記態様（ｘ２）は、例えば、次の態様（ｘ２０）及び（ｘ２１）を含む。
（ｘ２０）上記レバーの左右回動範囲が、第一の角度範囲Ｒａ、第二の角度範囲Ｒｂ及び第三の角度範囲Ｒｃを有しており、上記範囲Ｒａでの上記前後クリック感が、上記範囲Ｒｂでの上記前後クリック感よりも大きく、上記範囲Ｒｃでは、上記前後クリック感が生じない。
（ｘ２１）レバー周位置により、前後クリック感の大きさが変化する。
【０１６７】
なお、クリック感の大きさは、音の大きさ、振動の大きさ、レバー操作における抵抗力の大きさ等によって判断されうる。クリック係合の度合が大きいほど、クリック感は大きくなりやすい。
【０１６８】
図２４は、各レバー周位置におけるバルブ組立体４０の状態を示している。図２４では、レバーの前後位置は、止水位置にある。
【０１６９】
図２４において、（ａ）は、レバー周位置が左限界ＭＬにあるときの、バルブ組立体４０の平面図である。（ｂ）は、レバー周位置が左限界ＭＬにあるときの断面図である。この（ｂ）は、図１５のＣ−Ｃ線の位置における断面図である。（ｃ）は、レバー周位置が左限界ＭＬにあるときの断面図である。この（ｃ）は、図１５のＢ−Ｂ線の位置における断面図である。（ｄ）は、レバー周位置が正面位置Ｓ１にあるときの、バルブ組立体４０の平面図である。（ｅ）は、レバー周位置が正面位置Ｓ１にあるときの断面図である。この（ｅ）は、図１５のＣ−Ｃ線の位置における断面図である。（ｆ）は、レバー周位置が正面位置Ｓ１にあるときの断面図である。この（ｆ）は、図１５のＢ−Ｂ線の位置における断面図である。（ｇ）は、レバー周位置が右限界ＭＲにあるときの、バルブ組立体４０の平面図である。（ｈ）は、レバー周位置が右限界ＭＲにあるときの断面図である。この（ｈ）は、図１５のＣ−Ｃ線の位置における断面図である。（ｉ）は、レバー周位置が右限界ＭＲにあるときの断面図である。この（ｉ）は、図１５のＢ−Ｂ線の位置における断面図である。なお、図２４の断面図では、ハッチングの記載が省略されている。（ｃ）、（ｆ）及び（ｉ）では、隠れ線が実線で示されている。
【０１７０】
図２４の（ｂ）が示すように、レバー周位置が左限界ＭＬにあるとき、バルブ組立体４０は第一状態Ｊ１にある。一方、図２４の（ｅ）が示すように、レバー周位置が正面位置Ｓ１にあるとき、バルブ組立体４０は第二状態Ｊ２にある。図２４の（ｈ）が示すように、レバー周位置が右限界ＭＲにあるとき、バルブ組立体４０は第二状態Ｊ２にある。
【０１７１】
図２４の（ｅ）において示されている直線Ｌ１は、クリック係合部１４２の凸の先端同士を結ぶ直線である。平面視において、この直線Ｌ１は、可動弁体６０の移動方向Ｄ１に平行である。あらゆるレバー周位置において、レバー４６が前後回動されても、クリック係合部１４２とクリック部材５２との相対関係は変化しない。レバー前後位置に関わらず、係合部１４２とクリック部材５２との相対関係は一定である。前後クリック係合は、レバー左右位置のみに依存する。このため、レバー左右位置に基づく前後クリック感の変化が精度よく達成されている。
【０１７２】
本実施形態では、回動体４４が、可動弁体６０の移動方向を方向Ｄ１に規制し、且つ、クリック部材５２の移動方向を方向Ｄ４に規制している。単一の部材である回動体４４が２つの規制を達成しているため、部品点数が削減されており、且つ、構造が簡素化されている。また、単一の部材である回動体４４が２つの規制を達成しているため、方向Ｄ１と方向Ｄ４との相対関係が一定である。このため、レバー左右位置のみに依存する前後クリック感の変化が精度よく達成されている。上記実施形態では、クリック部材５２の移動方向Ｄ４は方向Ｄ１に対して直角である。
【０１７３】
上述の通り、クリック部材５２において、第一当接面ａ１１は方向Ｄ４における一方側に位置しており、第二当接面ａ１２は方向Ｄ４における他方側に位置している。クリック部材５２が一方側から他方側に移動するときは、第一当接面ａ１１がハウジング当接面Ｈｔに押される。逆に、クリック部材５２が他方側から一方側に移動するときは、第二当接面ａ１２がハウジング当接面Ｈｔに押される。これら２つの当接面ａ１１及びａ１２により、クリック部材５２の往復移動が高精度に達成される。これら２つの当接面ａ１１及びａ１２により、クリック部材５２の位置が高精度に制御されている。よって、前後クリック係合とレバー左右位置との関係が精度よく設定されうる。
【０１７４】
図２５は、ハンドル１４の左右回動について説明するための平面図である。実際に操作されるのは、レバー４６ではなくハンドル１４である。ただし、レバー４６とハンドル１４とは一体である。よって以下では、ハンドル１４をレバー４６に置き換えて、説明がなされる。
【０１７５】
レバー４６の左右回動全範囲は、左限界ＭＬから右限界ＭＲまでである。本実施形態では、左右回動全範囲ＲＦの角度がθｆである。本実施形態では、レバー４６の左右回動全範囲ＲＦは、正面位置Ｓ１に対して左右非対称である。本実施形態では、右限界ＭＲと正面位置Ｓ１との角度は２５°であり、左限界ＭＬと正面位置Ｓ１との角度が７５°である。なお、レバー４６の左右回動全範囲ＲＦは、正面位置Ｓ１に対して左右対称であってもよい。
【０１７６】
角度範囲ＲＴ１では、使用者から見て、右側に位置する。本実施形態における水側は、使用者から見て右側である。レバー４６の周位置が角度範囲ＲＴ１にあるとき、湯が混合されない。すなわち、レバー４６の周位置が角度範囲ＲＴ１にあるとき、水の割合が１００％である。範囲ＲＴ１は、水吐出位置である。
【０１７７】
角度範囲ＲＴ１は、正面位置Ｓ１を含む。レバー４６の周位置が正面位置Ｓ１にあるとき、湯が混合されない。すなわち、レバー４６の周位置が正面位置Ｓ１にあるとき、水ののみが吐出される。換言すれば、レバー４６の周位置が正面位置Ｓ１にあるとき、水の割合が１００％である。この構成は、省エネルギーに寄与する。
【０１７８】
角度範囲ＲＴ２は、使用者から見て、角度範囲ＲＴ１よりも左側である。本実施形態における湯側は、使用者から見て左側である。レバー４６の周位置が角度範囲ＲＴ２にあるとき、湯が混合される。すなわち、レバー４６の周位置が角度範囲ＲＴ２にあるとき、湯と水とが混合されるか、又は、水が無混合（湯が１００％）である。範囲ＲＴ２は、湯水混合吐出位置及び湯吐出位置である。
【０１７９】
角度範囲ＲＴ２が小さすぎると、湯水混合比率を調節できるレバー４６の角度範囲が狭くなりすぎて、湯水混合比率の変化が急激になりすぎる場合がある。この観点から、範囲ＲＴ２の角度θ２は、４０度以上が好ましく、５０度以上がより好ましく、５５度以上が特に好ましい。角度範囲ＲＴ２が大きすぎると、湯水混合比率を調節できるレバー４６の角度範囲が広くなりすぎて、操作性が低下する。この観点から、範囲ＲＴ２の角度θ２は、１００度以下が好ましく、９０度以下がより好ましく、７０度以下が特に好ましい。
【０１８０】
省エネルギーの観点から、範囲ＲＴ１の角度θ１は、１０度以上が好ましく、１５度以上がより好ましく、２０度以上がより好ましい。角度θ１が過大である場合、水の割合が１００％である範囲が広くなりすぎて、操作性が低下する。この観点から、範囲ＲＴ１の角度θ１は、６０度以下が好ましく、５０度以下がより好ましく、４０度以下が特に好ましい。
【０１８１】
図２５において符号Ｋ１で示されるのは、湯を吐出しうる範囲と水のみを吐出しうる範囲との境界である。本実施形態では、この境界Ｋ１が、レバー正面位置Ｓ１よりも湯側に位置している。よって、レバー周位置が正面位置Ｓ１から少しズレた場合でも、湯が吐出しない。よって省エネルギー性が更に高められている。
【０１８２】
図２５において角度θｋで示されているのは、正面位置Ｓ１と境界Ｋ１との間の回動角度である。省エネルギーの観点から、角度θｋは、３°以上が好ましく、５°以上がより好ましい。温度調節性の観点からは、角度θ２が大きいほうがよい。この観点から、角度θｋは、１０°以下が好ましく、８°以下がより好ましい。
【０１８３】
湯水混合栓１０では、レバー４６の左右回動範囲ＲＦにおいて、一部の角度範囲で、前後クリック感が生じ、他の角度範囲で、前後クリック感が生じない。本実施形態では、角度範囲ＲＴ２で、前後クリック感が生じる。角度範囲ＲＴ２では、第一状態Ｊ１が達成されている。本実施形態では、角度範囲ＲＴ１で、前後クリック感が生じない。角度範囲ＲＴ１では、第二状態Ｊ２が達成されている。よって、前後クリック感により、湯の使用が容易に判別されうる。もちろん、第一状態Ｊ１及び第二状態Ｊ２の角度範囲は、自由に設定することができる。
【０１８４】
図２６は、第二実施形態に係るバルブ組立体２００の断面図である。この実施形態では、クリック部材５２に代えて、クリック部材２０２が用いられている。このクリック部材２０２は、本体２０４、弾性部材５６及び当接部材５８を有する。弾性部材５６及び当接部材５８は、第一実施形態と同じである。このクリック部材２０２も、クリック部材５２と同じ方向にスライド移動しうる。前述したクリック部材５２と同様に、このクリック部材２０２は、スライド移動によって、係合と係合解除との切替が可能とされている。クリック部材２０２は、連結部１５４を有していない。クリック部材２０２では、クリック部材当接面ａ１は１箇所のみである。
【０１８５】
本体２０４は、当接部材収容部１５６と、弾性部材支持部１５８とを有する。本体２０４の形状は、前述した本体５４の第一基部１５０と同じである。当接部材収容部１５６及び弾性部材支持部１５８は、前述の通りである。
【０１８６】
本体２０４は、クリック部材当接面ａ１を有する。このクリック部材当接面ａ１の形状は、前述した第二当接面ａ１２と同じである。本実施形態においては、このクリック部材当接面ａ１が、ハウジング当接面Ｈｔに当接する。ハウジング当接面Ｈｔは、第一ハウジング当接面Ｈｔ１と移行面Ｈｔ３とを有する。
【０１８７】
バルブ組立体２００の回動体４４０は、スライド面ｓｆ４を有している。クリック部材２０２の両側には、側面２０６が設けられている。スライド面ｓｆ４が側面２０６と摺動する。側面２０６により、クリック部材２０２のスライド方向が規制されている。
【０１８８】
クリック部材２０２のスライド移動は、クリック部材当接面ａ１とハウジング当接面Ｈｔとの当接によって達成される。本実施形態では、係合状態から解除状態への移行は、係合部１７０とクリック係合部１４２との当接による。ハウジング当接面Ｈｔとクリック部材当接面ａ１との間に空間があれば、係合部１７０とクリック係合部１４２の係合により、クリック部材２０２が後退する。この後退により、前後クリック係合が解除されうる。
【０１８９】
図２７は、第三実施形態に係るバルブ組立体３００の断面図である。この実施形態では、クリック部材５２に代えて、クリック部材３０２が用いられている。このクリック部材３０２は、本体３０４、弾性部材５６及び当接部材５８を有する。弾性部材５６及び当接部材５８は、第一実施形態と同じである。このクリック部材３０２は、スライド移動しない。このクリック部材３０２は回動しうる。この回動によって係合と係合解除との切替が可能とされている。
【０１９０】
本体３０４は、当接部材収容部１５６と、弾性部材支持部１５８とを有する。本体３０４の形状は、前述した本体２０４に似ている。当接部材収容部１５６及び弾性部材支持部１５８は、前述の通りである。
【０１９１】
本体３０４は、クリック部材当接面ａ１を有する。このクリック部材当接面ａ１の形状は、前述した第二当接面ａ１２と同じである。本実施形態においては、このクリック部材当接面ａ１が、ハウジング当接面Ｈｔに当接する。ハウジング当接面Ｈｔは、第一ハウジング当接面Ｈｔ１と移行面Ｈｔ３とを有する。
【０１９２】
バルブ組立体３００の回動体４４２は、回動連結部４４４を有する。この回動連結部４４４により、クリック部材３０２と回動体４４２とが連結されている。クリック部材３０２は回動体４４２に回動可能に連結されている。クリック部材３０２は、回動連結部４４４の回転軸を中心として回動しうる。
【０１９３】
クリック部材３０２の回動は、クリック部材当接面ａ１とハウジング当接面Ｈｔとの当接によって達成される。解除状態から係合状態への移行は、クリック部材当接面ａ１とハウジング当接面Ｈｔとの当接によって達成される。係合状態から解除状態への移行は、上記第二実施形態と同様に、係合部１７０とクリック係合部１４２との当接による。係合状態から解除状態への移行は、クリック部材当接面ａ１とハウジング当接面Ｈｔとの当接によって達成されてもよい。また、この係合解除を促進する解除部材が設けられても良い。この解除部材として、クリック部材３０２を係合解除方向に回転するように付勢する弾性部材が例示される。この弾性部材として、ねじりバネが例示される。他の解除部材として、クリック部材３０２を係合解除方向に回転させうるピンが例示される。
【０１９４】
クリック部材Ａ（本体５４）の材質として、樹脂及び金属が例示される。この樹脂には、繊維強化樹脂も含まれる。強度の観点からは金属が好ましいが、他部材の摩耗抑制及び耐水性の観点からは樹脂が好ましい。好ましい樹脂として、ＰＡ樹脂、ＡＢＳ樹脂、ＰＯＭ樹脂、ＰＰＳ樹脂、ＰＣ樹脂及びこれらの繊維強化材が例示される。ＰＡ樹脂とは、ポリアミド樹脂である。ＡＢＳ樹脂とは、アクリロニトリルブタジエンスチレン共重合体樹脂である。ＰＯＭ樹脂とは、ポリアセタール樹脂である。ＰＰＳ樹脂とはポリフェニレンスルフィド樹脂である。ＰＣ樹脂とは、ポリカーボネート樹脂である。上記実施形態では、ＰＯＭ樹脂が用いられた。本実施形態では、本体５４の材質は、ハウジング４２と同じとされた。
【０１９５】
上記当接部材Ａ（当接部材５８）の材質として、樹脂及び金属が例示される。この樹脂には、繊維強化樹脂も含まれる。クリック感の感触及び耐久性の観点からは金属が好ましいが、他部材の摩耗抑制及び耐水性の観点からは樹脂が好ましい。好ましい樹脂として、ＰＡ樹脂、ＡＢＳ樹脂、ＰＯＭ樹脂、ＰＰＳ樹脂、ＰＣ樹脂及びこれらの繊維強化材が例示される。ＰＣ樹脂とは、ポリカーボネート樹脂である。上記実施形態では、ＰＯＭ樹脂が用いられた。上記実施形態では、当接部材５８の材質は、上側部材８６と同じとされた。
【０１９６】
上記弾性部材Ａ（弾性部材５６）として、コイルバネ、板バネ及び樹脂バネが例示される。耐久性及び弾性の観点から、コイルバネ及び板バネが好ましい。クリック部材５２の小型化の観点から、板バネが好ましい。板バネの場合、複数枚を重ねて使用することができるため、弾性の調整が容易である。上記実施形態では、２枚の板バネが重ねて用いられた。
【０１９７】
クリック部材Ｂの形状は、上述したクリック部材５０と同様とされるのが好ましい。好ましい形状のクリック部材Ｂは、突出部５０ｂと、その両側のそれぞれに延びる基部５０ａとを有する。両側での撓みを均等とする観点から、左右の基部５０の長さは同じであるのが好ましい。耐久性の観点から、突出部５０ｂと２つの基部５０ａとは一体成形されているのが好ましい。耐久性及び弾性の観点から、クリック部材Ｂは、バネ材を曲げることにより成形されているのが好ましい。このようなクリック部材Ｂは、出退可能で且つコンパクトである。好ましいクリック係合部Ｂは、突起である。この突起の材質として、金属及び樹脂が例示される。耐久性の観点からは、この突起は、ハウジング４２と一体成形されるのが好ましい。
【０１９８】
本願には、請求項（独立形式請求項を含む）に係る発明に含まれない他の発明も記載されている。本願の請求項及び実施形態に記載されたそれぞれの形態、部材、構成及びそれらの組み合わせは、それぞれが有する作用効果に基づく発明として認識される。
【０１９９】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【産業上の利用可能性】
【０２００】
本発明は、あらゆる用途の湯水混合栓に適用されうる。
【符号の説明】
【０２０１】
１０・・・湯水混合栓
１２・・・混合栓本体
１４・・・ハンドル
１６・・・吐出部
１８・・・湯導入管
２０・・・水導入管
２２・・・吐出管
４０、２００、３００・・・バルブ組立体
４２・・・ハウジング
４４、４４０、４４２・・・回動体
４６・・・レバー
４８・・・レバー軸
５０・・・クリック部材Ｂ（弾性体）
ｔ１・・・クリック係合部Ｂ（突起）
５２、２０２、３０２・・・クリック部材Ａ
５４・・・本体
５６・・・弾性部材
５８・・・当接部材
６０・・・可動弁体
６２・・・固定弁体
６４・・・パッキン
６８・・・ベース体
８６・・・可動弁体の上側部材
８８・・・可動弁体の下側部材
９４・・・貫通孔
９６・・・流路形成凹部
９８・・・レバー係合凹部
１４２・・・クリック係合部Ａ
ＰＬ１・・・固定弁体の上面の平滑面
ＰＬ２・・・可動弁体の下面の平滑面
ａ１・・・クリック部材当接面
ａ１１・・・第一当接面
ａ１２・・・第二当接面
Ｓ１・・・レバーの正面位置
ＭＬ・・・レバーの左限界位置
ＭＲ・・・レバーの右限界位置
Ｄ１・・・可動弁体の移動方向
Ｄ２・・・レバーの前後回動方向
Ｈｔ・・・ハウジング当接面
Ｈｔ１・・・第一ハウジング当接面
Ｈｔ２・・・第二ハウジング当接面
【図１】
2014185470.tif 000003
【図２】
2014185470.tif 000004
【図３】
2014185470.tif 000005
【図４】
2014185470.tif 000006
【図５】
2014185470.tif 000007
【図６】
2014185470.tif 000008
【図７】
2014185470.tif 000009
【図８】
2014185470.tif 000010
【図９】
2014185470.tif 000011
【図１０】
2014185470.tif 000012
【図１１】
2014185470.tif 000013
【図１２】
2014185470.tif 000014
【図１３】
2014185470.tif 000015
【図１４】
2014185470.tif 000016
【図１５】
2014185470.tif 000017
【図１６】
2014185470.tif 000018
【図１７】
2014185470.tif 000019
【図１８】
2014185470.tif 000020
【図１９】
2014185470.tif 000021
【図２０】
2014185470.tif 000022
【図２１】
2014185470.tif 000023
【図２２】
2014185470.tif 000024
【図２３】
2014185470.tif 000025
【図２４】
2014185470.tif 000026
【図２５】
2014185470.tif 000027
【図２６】
2014185470.tif 000028
【図２７】
2014185470.tif 000029